(57)【要約】【課題】電気泳動表示素子によるディスプレイに自発光光源を組み合わせて、夜間表示を可能とする。【解決手段】電気泳動表示素子（ＥＰＤ）からなる電子ペーパ状表示装置の表示素子３０１にＬＥＤ３０６を組合わせ、該当する表示素子を照明して表示する。起動する表示素子に対応するＬＥＤ発光素子のみ発光させるため、消費電力を最小限に抑制し、また、照明の必要な夜間のみ証明するため、ＬＥＤの輝度も低いもので良く、表示装置全体の低廉化、消費電力低減化ができる。【選択図】  図３
0003124009.tif 000002
【実用新案登録請求の範囲】
【請求項１】
電圧の印加によって駆動される電気泳動表示ユニットと、該ユニットを挟んで配置される上下駆動電極、及び該ユニット背面側に配置されたＬＥＤ搭載基板上に該表示ユニットに対応して配列されて、該表示ユニットに形成した孔から露出して設けられたＬＥＤからなる、
ことを特徴とする高効率電子表示装置。
【請求項２】
前記ＬＥＤ搭載回路板には、それぞれのＬＥＤに対応して制御駆動電子素子が設置されていることを特徴とする請求項１記載の高効率電子表示装置。
【考案の詳細な説明】
【技術分野】
【０００１】
本考案は、電気泳動表示ユニットおよびＬＥＤ表示ユニットから構成され、電気泳動表示素子（ＥＰＤ）により構成された電子ペーパ様表示装置にＬＥＤ発光光源を配置することにより、日中は電気泳動表示素子（ＥＰＤ）によって表示を行い、輝度が足りないときはＬＥＤを使用してデータを表示することができる高効率電子表示装置に関する。
【背景技術】
【０００２】
電気泳動表示素子（ＥＰＤ）（或いは電子ペーパＥ‐ＰＡＰＥＲと称す）は最近徐々に成熟してきた電子表示設備であり、主な特徴としては、消費電力が極めて少ない、超薄型（０．１ｍｍ）、電源の切断後も一定期間表示内容を維持できる、自発光式でない、ことなどが挙げられる。消費電力が極めて少ないという特性をデータ表示設備上に使用した場合、非常に有益であり、例えば、交通情報表示装置などの設備において、電池を使用して操作を行ない、その他の電源を必要としないことによって、大きなコストダウンを図ることが可能である。この点においては従来のＬＥＤ表示装置と比較できないほど優れている。さらに、電気泳動表示素子（ＥＰＤ）から構成される表示設備は非常に薄くて軽いので、設置場所に対する負担も少ない。
【０００３】
しかし、電気泳動表示素子（ＥＰＤ）から構成される表示設備の最大の弱点は自発光式でない点にあり、夜になるとその機能を発揮できない。仮にその他の光源を使用した場合、元来有する消費電力が少ないという長所を失ってしまい、従って、現在電気泳動表示素子（ＥＰＤ）から構成される表示設備の使用場所は一部制限を受けざるを得ない。
【０００４】
図１は、従来技術による電気泳動表示素子（ＥＰＤ）の構造を示す断面図である。電気泳動材料１０１両面の上下電極１０２、１０３に電圧１０４を印加して異なる色の帯電粒子を吸着させたり除去させたりする構造で表示ユニットが構成される。図２は従来技術による電気泳動表示素子（ＥＰＤ）が文字を表示する状態を示す模式図である。
【０００５】
本考案の考案者は、電子表示設備の研究開発および製造に長く携わり、各種表示設備の原理に対して理解が深く、電気泳動表示素子（ＥＰＤ）の優れた特徴を最大限に発揮させるために、本考案を案出した。
【特許文献１】特開２００２−４０４８９号公報
【考案の開示】
【考案が解決しようとする課題】
【０００６】
本考案は、電気泳動表示ユニットおよびＬＥＤ表示ユニットから構成され、電気泳動表示素子（ＥＰＤ）により構成された電子ペーパ状の表示装置にＬＥＤ発光源を組合わせることにより、日中は電気泳動表示素子（ＥＰＤ）によって表示を行い、輝度が足りないときはＬＥＤを使用してデータを表示することができる高効率電子表示装置を提供することにある。
【課題を解決するための手段】
【０００７】
上述の課題を解決するために、請求項１の考案は、電気泳動表示ユニットと、上下電極、ＬＥＤ，ＬＥＤ搭載回路板から構成されるＬＥＤ表示ユニットとが組合されて構成される表示装置であり、その実施方式は、電気泳動表示ユニット上に孔を設けてＬＥＤを露出させることを特徴とする高効率電子表示装置である。
【０００８】
請求項２の考案は、ＬＥＤ表示ユニット中のＬＥＤを搭載するＬＥＤ搭載回路基板には、同時にすべての制御駆動電子素子が設置されることを特徴とする請求項１記載の高効率電子表示装置である。
【考案の効果】
【０００９】
本考案は、電気泳動表示素子（ＥＰＤ）から構成される表示装置とＬＥＤ表示装置とを組合せ、日中は電気泳動表示素子（ＥＰＤ）によってデータの表示を行い、夜間はＬＥＤの発光を利用して電気泳動表示素子（ＥＰＤ）の表示内容を照射するというものである。夜間においてＬＥＤが必要な輝度は日中の十分の一であるので、すべてＬＥＤから構成される表示装置と比較した場合、使用されるＬＥＤの数量および関連部材は十分の一しか必要でなく、その差は非常に大きい。また、夜間において、ＬＥＤは表示が必要な一部を照射すればよく、光源を外設して電気泳動表示素子（ＥＰＤ）を照射する方式と比較した場合、５０％〜８０％の電力を節約できる。また、ＬＥＤは電気泳動表示素子（ＥＰＤ）が表示する区域のＬＥＤのみが発光すればよく、表示点でないＬＥＤは発光せず、お互いが構成する高コントラストによってもＬＥＤの輝度は節約できる。従って、本考案と従来技術によるＬＥＤ表示装置とを比較した場合、本考案の高効率電子表示装置は十分の一のＬＥＤ数量および関連部材でよく、その重量の差も非常に大きい。
【考案を実施するための最良の形態】
【００１０】
本考案の目的、特徴および効果を示す実施例を図に沿って詳細に説明する。
【００１１】
本装置は、小型で細かい表示設備には適用されない。一般的に、表示点が１０ｍｍ以上が好ましいが、小さい表示点の表示設備も本考案に含まれる。
【００１２】
図３は、本考案による電気泳動表示素子（ＥＰＤ）にＬＥＤを加えた高効率電子表示装置を示す断面図である。図から分かるように、本考案の全体のシステムは電気泳動表示ユニット（ＥＰＤ）３０１、上下電極３０２、３０３、ＬＥＤ３０６、ＬＥＤ搭載回路基板３０４および制御駆動電子素子３０５から構成され、電気泳動表示ユニット３０１は極めて小さい密封セル（０．１ｍｍ以下）から構成される。
【００１３】
従って、表示フィルム上に電気泳動表示ユニット３０１、上下電極３０２、３０３を構成し、孔を設けてＬＥＤ３０６を露出させることは困難なことではなく、ＬＥＤ３０６を搭載するＬＥＤ搭載回路板３０４にはすべての制御駆動電子素子３０５を設置できる。装置全体のシステムは非常に簡潔であるが、その効率は非常に高い。図４は本考案による電気泳動表示素子（ＥＰＤ）にＬＥＤを加えた高効率電子表示装置が文字を表示する状態を示す模式図である。
【００１４】
当然、本考案による高効率電子表示装置を完成させるには例えば、
１  ＬＥＤ点灯のタイミングを決定する照度センサ。
２  本装置とその他の設備とのコミュニケーションを行う通信インターフェイスまたは無線通信インターフェイス。
３  一般の電池、太陽電池、交流電源供給設備、風力発電装置などの電源。
などのさらに多くの部材が必要である。しかし、これらの部材は本考案を構成する主要な部材ではないので、説明を省く。
【図面の簡単な説明】
【００１５】
【図１】従来技術による電気泳動表示素子（ＥＰＤ）の構造を示す断面図である。
【図２】従来技術による電気泳動表示素子（ＥＰＤ）が文字を表示する状態を示す模式図である。
【図３】本考案による電気泳動表示素子（ＥＰＤ）にＬＥＤを加えた高効率電子表示装置を示す断面図である。
【図４】本考案による電気泳動表示素子（ＥＰＤ）にＬＥＤを加えた高効率電子表示装置が文字を表示する状態を示す模式図である。
【符号の説明】
【００１６】
３０１  電気泳動表示ユニット（ＥＰＤ）
３０２、３０３  上下電極
３０４  ＬＥＤ搭載回路板
３０５  制御駆動電子素子
３０６  ＬＥＤ
【図１】
0003124009.tif 000003
【図２】
0003124009.tif 000004
【図３】
0003124009.tif 000005
【図４】
0003124009.tif 000006